(57)【要約】  ディスプレイがＮｘ１の形状に配列される、セグメント・ディスプレイ・システムが開示されている。このセグメント・ディスプレイ・システムには複数のプロジェクタが含まれ、各プロジェクタは画像の一部を、Ｎｘ１に配列されるディスプレイのうちの対応する１つに投写する。Ｎｘ１に配列されるプロジェクタの位置に基づきレンズ・マウントを使用して各プロジェクタを配置することにより、Ｎｘ１に配列されるディスプレイ間の継ぎ目におけるゆがみが最小限度に抑えられる。
2007525698.tif 000002
【特許請求の範囲】
【請求項１】
互いに隣接して配置されてスクリーンを形成する複数のディスプレイにおいて、
隣接するディスプレイの一部が互いに重なり合い、継ぎ目を形成する、前記複数のディスプレイと、
複数のプロジェクタの１つが前記複数のディスプレイの１つにそれぞれ対応し、各プロジェクタは、隣接するディスプレイ間に形成される継ぎ目におけるゆがみを減じるよう選択されるレンズを具える、前記複数のプロジェクタと、
から成る、投写システム。
【請求項２】
複数のディスプレイがＮｘ１の形状に配列される、請求項１記載の投写システム。
【請求項３】
複数のプロジェクタの各々がミラーを具える、請求項１記載の投写システム。
【請求項４】
ミラーがプロジェクタのランプに対して約４５°の角度に配置される、請求項３記載の投写システム。
【発明の詳細な説明】
【技術分野】
【０００１】
本発明は一般に、ディスプレイ（表示装置）の分野に関し、特に、複数のプロジェクタ（投写装置）を具える、セグメント・ディスプレイ・システムに関する。
【背景技術】
【０００２】
セグメント・ディスプレイ・システムは一般に、複数のプロジェクタと複数のディスプレイを使用する。各プロジェクタは映像の一部を、複数のディスプレイのうち対応する１つに投写する。多くのセグメント・ディスプレイ・システムの場合、ディスプレイは、例えば、図１に示すような、２ｘ２（ＮｘＮ）の方形に配列される。
【０００３】
ディスプレイを方形に配列すると、４分された継ぎ目２０を生じる。４分された継ぎ目２０はセグメント・ディスプレイ・システムに表示される映像をゆがめ、望ましくない。
【０００４】
したがって、表示される映像のゆがみを最小限度に抑える、セグメント・ディスプレイ・システムが必要である。
【発明の開示】
【０００５】
（発明の概要）
本発明は、ディスプレイがＮｘ１の形状に配列される、セグメント・ディスプレイ・システムに向けられる。セグメント・ディスプレイ・システムは複数のプロジェクタを具え、各プロジェクタは、Ｎｘ１の形状に配列される複数のディスプレイのうち対応する１つに画像の一部を投写する。Ｎｘ１に配列されるこのようなプロジェクタの位置に基づきレンズ・マウント（取付け台）を使用して各プロジェクタを配置することにより、Ｎｘ１の形状に配列されるディスプレイの継ぎ目におけるゆがみは最小限度に抑えられる。
【発明を実施するための最良の形態】
【０００６】
本発明は、ディスプレイがＮｘ１の形状に配列される、セグメント・ディスプレイ・システムに向けられる。図２〜図４に関して、セグメント・ディスプレイ・システム１００は複数のプロジェクタ（投写装置）１１０Ａ、１１０Ｂ、１１０Ｃ、１１０Ｄを具え、各プロジェクタは、Ｎｘ１の形状に配列されるディスプレイ１１１Ａ、１１１Ｂ、１１１Ｃ、１１１Ｄのうちの対応する１つに映像の一部を投写する。
【０００７】
図４に関して、プロジェクタ（１１０Ａ、１１０Ｂ、１１０Ｃ、１１０Ｄ）の各々は、ランプ１２０、ミラー１２５、およびレンズ・マウント（取付け台）１３０を具える。各プロジェクタのランプ１２０で投写される映像部分は、ミラー１２５に投写され、Ｎｘ１に配列されるディスプレイ（１１１Ａ、１１１Ｂ、１１１Ｃ、１１１Ｄ）のうちの対応する１つに投写される。
【０００８】
ミラー１２５は、ランプ１２０およびディスプレイ（１１１Ａ、１１１Ｂ、１１１Ｃ、１１１Ｄ）に対し約４５°の角度に配置される。ミラーをランプ１２０と約４５度に配置することにより、ランプ１２０内での加熱によるバルブ（電球）の寿命が維持される。
【０００９】
Ｎｘ１の配列でこのようなプロジェクタの位置に基づきレンズ・マウントを使用し、各プロジェクタを配置して、ディスプレイ間の継ぎ目（１３５、１３７、１３９）におけるゆがみは最小限度に抑えられる。具体的に言うと、図５は、各プロジェクタに同じレンズ・マウントを使用し、４ｘ１に配列されるディスプレイ間の継ぎ目におけるゆがみを示す。４ｘ１配列の場合、継ぎ目が３箇所ある。同じレンズ・マウントを使用することにより、セグメント・ディスプレイ・システムの各継ぎ目に沿って同じ量のゆがみを生じる。
【００１０】
図６は、Ｎｘ１に配列されるプロジェクタの位置に基づきレンズ・マウントを使用して各プロジェクタを配置することによる、Ｎｘ１に配列されるディスプレイ間の継ぎ目におけるゆがみを示す。具体的に、中央の２つのプロジェクタ（１１０Ｂと１１０Ｃ）はレンズ・マウント１３０Ａを使用し、中央の継ぎ目１３５に沿って対称のゆがみを生じる。  
【００１１】
プロジェクタ１１０Ｄはレンズ・マウント１３０Ｂを使用し、継ぎ目１３７において直線状の（真っ直ぐな）エッジを生じ且つエッジ１４０に沿ってゆがみを生じる。投写された映像のゆがみを減らすために継ぎ目１３７において直線状のエッジを得ることは重要である。エッジ１４０に沿ったゆがみは比較的目立たたないので、あまり重要視されない。
【００１２】
プロジェクタ１１０Ａは、レンズ・マウント１３０Ａを使用し、継ぎ目１３９において直線状のエッジを生じ、エッジ１４５に沿ってゆがみを生じる。投写した画像のゆがみを減じるために、継ぎ目１３９で直線状のエッジを生じることは大切である。エッジ１４５に沿ったゆがみは比較的目立たたないので、あまり重視されない。
【００１３】
結果として、図６に示すように、中央の継ぎ目１３５は変化していないが、２つの継ぎ目（１３９と１３７）におけるゆがみは元のゆがみの約５０％に減少する。左右のエッジのゆがみは目立っている。
【図面の簡単な説明】
【００１４】
【図１】ディスプレイ（表示装置）が２ｘ２の形状に配列される、セグメント・（ｓｅｇｍｅｎｔｅｄ：区切られた）ディスプレイ・システムを示す。
【図２】ディスプレイがＮｘ１の形状に配列される、本発明のセグメント・ディスプレイ・システムの正面図を示す。
【図３】ディスプレイがＮｘ１の形状に配列される、図２に示すセグメント・ディスプレイ・システムの平面図を示す。
【図４】ディスプレイがＮｘ１の形状に配列される、図２に示すセグメント・ディスプレイ・システムの側面図を示す。
【図５】各プロジェクタ（投写機）に同じレンズ・マウントを使用して、Ｎｘ１の形状に配列されるディスプレイ間の継ぎ目におけるゆがみを示す。
【図６】Ｎｘ１の形状に配列されるプロジェクタの位置に基づきレンズ・マウントを使用し各プロジェクタを配置することによる、Ｎｘ１に配列されるディスプレイ間の継ぎ目におけるゆがみを示す。
【図１】
2007525698.tif 000003
【図２】
2007525698.tif 000004
【図３】
2007525698.tif 000005
【図４】
2007525698.tif 000006
【図５】
2007525698.tif 000007
【図６】
2007525698.tif 000008
【国際調査報告】
2007525698.tif 000009
2007525698.tif 000010